【手続補正書】
【提出日】平成29年11月1日(2017.11.1)
【手続補正１】
【補正対象書類名】明細書
【補正対象項目名】発明の名称
【補正方法】変更
【補正の内容】
【発明の名称】制御装置、機器、制御方法、プログラムおよび制御システム
【手続補正２】
【補正対象書類名】明細書
【補正対象項目名】０００１
【補正方法】変更
【補正の内容】
【０００１】
本発明は、制御装置、機器、制御方法、プログラムおよび制御システムに関する。
【手続補正３】
【補正対象書類名】明細書
【補正対象項目名】０００６
【補正方法】変更
【補正の内容】
【０００６】
本発明は、上記実情に鑑みてなされたものであり、利便性を維持しつつ消費電力の低減を図ることができる制御装置、機器、制御方法、プログラムおよび制御システムを提供することを目的とする。
【手続補正４】
【補正対象書類名】明細書
【補正対象項目名】０００７
【補正方法】変更
【補正の内容】
【０００７】
上記目的を達成するために、本発明に係る制御装置は、
消費電力が異なる複数の運転モードで動作する機器の運転モードをネットワークを介して制御する制御装置であって、
前記機器を利用する利用者の在宅状況情報を更新する更新部と、
前記更新部により更新された前記利用者の在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードで動作することを指示する指示情報を前記機器に送信する送信部と、を備える。
【手続補正５】
【補正対象書類名】明細書
【補正対象項目名】０００８
【補正方法】変更
【補正の内容】
【０００８】
本発明では、機器を利用する利用者の在宅状況情報に基づいて選択された運転モードで動作することを指示する指示情報が機器に送信される。もしくは、本発明では、機器を利用する利用者の在宅状況情報に基づいて選択された運転モードであって、指示情報により指示された運転モードで機器が動作する。このため、本発明によれば、利便性を維持しつつ消費電力の低減を図ることができる。
【手続補正６】
【補正対象書類名】明細書
【補正対象項目名】００２２
【補正方法】変更
【補正の内容】
【００２２】
更新部１２４は、利用者の予定または機器情報に基づいて、在宅状況情報記憶部１１１の在宅状況情報テーブルＴＡ１１の、デジタルレコーダ２００およびテレビジョン受信機９００を利用する利用者の在宅状況情報を更新する。具体的には、更新部１２４は、利用者予定テーブルＴＡ２１を参照して、利用者予定テーブルＴＡ２１に記録されている利用者の予定と現時刻とを比較して、在宅状況情報テーブルＴＡ１１の帰宅フラグの内容を設定する。また、更新部１２４は、機器情報テーブルＴＡ３１を参照して、機器情報テーブルＴＡ３１に記録されている携帯端末（携帯機器フラグがオンに設定されている機器）４００の宅内ネットワークＮＴ１への接続状況に応じて、在宅状況情報テーブルＴＡ１１の帰宅フラグの内容を設定する。
【手続補正７】
【補正対象書類名】特許請求の範囲
【補正対象項目名】全文
【補正方法】変更
【補正の内容】
【特許請求の範囲】
【請求項１】
消費電力が異なる複数の運転モードで動作する機器の運転モードをネットワークを介して制御する制御装置であって、
前記機器を利用する利用者の在宅状況情報を更新する更新部と、
前記更新部により更新された前記利用者の在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードで動作することを指示する指示情報を前記機器に送信する送信部と、を備える、
制御装置。
【請求項２】
消費電力が異なる複数の運転モードで動作する機器の運転モードをネットワークを介して制御する制御装置であって、
前記機器と利用者とを対応づける接続機器情報を記憶する接続機器情報記憶部と、
前記利用者の識別情報と、当該利用者の在宅状況とを対応づける在宅状況情報を記憶する在宅状況情報記憶部と、
前記利用者の在宅状況が変化したか否かを判定し、前記利用者の在宅状況が変化したと判定されると前記利用者の識別情報に対応づけられた在宅状況情報を更新する更新部と、
前記在宅状況情報により示される前記利用者の在宅状況に応じた前記機器の運転モード情報を選択する選択部と、
前記選択部が選択した前記機器の運転モード情報を前記機器に送信する送信部と、を備える、
制御装置。
【請求項３】
前記ネットワークは、宅内ネットワークであり、
前記利用者が携帯する携帯機器が前記宅内ネットワークに接続されているか否かを示す接続機器情報を記憶する接続機器情報記憶部と、
前記接続機器情報記憶部が記憶する接続機器情報に基づいて、前記在宅状況情報記憶部が記憶する在宅状況情報を更新する更新部と、を更に備え、
前記選択部は、前記在宅状況情報記憶部が記憶する在宅状況情報に基づいて、前記機器に設定する運転モードを選択する、
請求項１に記載の制御装置。
【請求項４】
前記利用者の予定を記憶する予定情報記憶部を備え、
前記更新部は、前記予定情報記憶部が記憶する前記利用者の予定と現時刻とを比較して、前記機器を利用する前記利用者の在宅状況情報を更新する、
請求項２または３に記載の制御装置。
【請求項５】
前記ネットワークは、宅内ネットワークであり、
前記機器には、前記利用者が携帯する携帯端末を含み、 
前記接続機器情報には、前記機器が前記宅内ネットワークに接続されているか否かを含み、
前記更新部は、前記接続機器情報に含まれる前記携帯端末の前記宅内ネットワークへの接続状況に応じて、前記利用者の在宅状況情報の内容を設定する、
請求項２から４のいずれか１項に記載の制御装置。
【請求項６】
前記選択部は、人感センサの人の検知情報に基づいて、前記機器の運転モードを変更するか否かを判定する、
請求項２または３に記載の制御装置。
【請求項７】
前記選択部は、電力量計が計測する消費電力量に基づいて、前記機器の運転モードを変更するか否かを判定する、
請求項２または３に記載の制御装置。
【請求項８】
前記複数の運転モードには、高速起動モードと前記高速起動モードよりも消費電力が小さい省電力モードとが含まれ、
前記予定情報は、前記利用者の外出期間または就寝期間を示す情報を含み、
前記選択部は、前記利用者が外出または就寝する時刻に到達したことを検知すると、前記省電力モードを選択する、
請求項４に記載の制御装置。
【請求項９】
前記選択部は、前記利用者が帰宅または起床する時刻に到達したことを検知すると、前記高速起動モードを選択する、
請求項８に記載の制御装置。
【請求項１０】
前記機器から運転モードの問合せ要求を受信する要求受信部と、
前記要求受信部が前記問い合わせ要求を受信したことに応答して、前記在宅状況情報記憶部が記憶する在宅状況情報により示される前記利用者の在宅状況に応じた運転モードを示す運転モード情報を前記機器に送信する通知部と、を更に備える、
請求項１から９のいずれか１項に記載の制御装置。
【請求項１１】
前記送信部は、指示情報とともに、前記指示情報により指示された運転モードで前記機器が動作した後に、前記機器の運転モードを元の運転モードに戻す時刻を示す時刻情報を、前記機器に送信する、
請求項１から１０のいずれか１項に記載の制御装置。
【請求項１２】
前記複数の運転モードには、高速起動モードと前記高速起動モードよりも消費電力が小さい省電力モードとが含まれ、
前記高速起動モードにおいて実行される処理を実行させる旨の実行指令を受信する実行指令受信部を更に備え、
前記送信部は、前記実行指令受信部が前記実行指令を受信したことに応答して、前記機器に前記処理を開始させる開始指令とともに、前記高速起動モードで動作することを指示する指示情報を前記機器に送信する、
請求項１から１１のいずれか１項に記載の制御装置。
【請求項１３】
前記送信部は、前記処理が終了したことを検知したことに応答して、前記省電力モードで動作することを指示する指示情報を前記機器に送信する、
請求項１２に記載の制御装置。
【請求項１４】
ネットワークを介して制御装置と接続され、消費電力が異なる複数の運転モードで動作する機器であって、
前記機器の利用者の在宅状況情報に基づいて前記複数の運転モードの中から選択された運転モードで動作することを指示する指示情報を前記制御装置から受信する通信部と、
前記通信部が受信した指示情報により指示された運転モードで前記機器を動作させる制御部と、を備える、
機器。
【請求項１５】
前記通信部は、前記指示情報とともに、前記機器の運転モードを元の運転モードに戻す時刻を示す時刻情報を前記制御装置から受信し、
前記制御部は、前記指示情報により指示された運転モードで前記機器を動作させた後、前記通信部により受信された時刻情報により示された時刻に到達したことを検知すると、前記機器の運転モードを前記元の運転モードに戻す、
請求項１４に記載の機器。
【請求項１６】
前記複数の運転モードには、高速起動モードと前記高速起動モードよりも消費電力が小さい省電力モードとが含まれ、
前記通信部は、前記機器の動作モードが前記高速起動モードであるときに前記制御装置と通信可能であり、前記機器の動作モードが前記省電力モードであるときに前記制御装置と通信不能であり、
前記制御部は、前記機器が前記高速起動モードであるときに前記指示情報に従って前記機器の動作モードを前記省電力モードに変更した場合、前記機器の動作モードを一時的に前記高速起動モードに変更する処理と、前記通信部に運転モードの問い合わせ要求を前記制御装置に向けて送信させる処理と、前記問い合わせ要求に応答して前記制御装置から前記通信部に通知された運転モード情報により示される運転モードが前記高速起動モードであるか否かを判別する処理と、を定期的に実行し、前記運転モード情報により示される運転モードが前記高速起動モードであると判別した場合、前記機器の運転モードを前記高速起動モードに戻す、
請求項１４または１５に記載の機器。
【請求項１７】
前記複数の運転モードには、高速起動モードと前記高速起動モードよりも消費電力が小さい省電力モードとが含まれ、
前記高速起動モードで前記機器を動作させる期間を示す期間情報を記憶する期間情報記憶部を更に備え、
前記制御部は、
前記期間情報記憶部が記憶する期間情報により示される期間の開始時期に到達したことを検知すると、前記機器を前記高速起動モードで動作させる、
請求項１４から１６のいずれか１項に記載の機器。
【請求項１８】
前記制御部は、前記期間情報記憶部が記憶する期間情報により示される期間の終了時期に到達すると、前記通信部に運転モードの問い合わせ要求を前記制御装置に向けて送信させ、前記問い合わせ要求に対して前記制御装置から送信された運転モード情報を前記通信部に受信させ、前記通信部により受信された運転モード情報により示される運転モードが前記省電力モードである場合、前記機器を前記省電力モードで動作させる、
請求項１７に記載の機器。
【請求項１９】
消費電力が異なる複数の運転モードで動作する機器の運転モードをネットワークを介して制御する制御方法であって、
選択部が、前記機器の利用者の在宅状況情報に基づいて、前記複数の運転モードの中から前記機器に設定する運転モードを選択する選択ステップと、
送信部が、前記選択ステップで選択された運転モードで動作することを指示する指示情報を前記機器に送信する送信ステップと、を含む、
制御方法。
【請求項２０】
コンピュータを、
消費電力が異なる複数の運転モードで動作する機器の利用者の在宅状況情報に基づいて、前記複数の運転モードの中から前記機器に設定する運転モードを選択する選択部、
前記選択部により選択された運転モードで動作することを指示する指示情報を前記機器に送信する送信部、として機能させる、
プログラム。
【請求項２１】
消費電力が異なる複数の運転モードで動作する機器と、
前記機器の利用者の在宅状況情報を更新する更新部と、
前記更新部により更新された在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードを前記機器に送信する送信部と、を備え、
前記機器は、前記送信部が送信した運転モードで動作する、
制御システム。